【手続補正書】
【提出日】平成26年6月27日(2014.6.27)
【手続補正１】
【補正対象書類名】明細書
【補正対象項目名】０１０２
【補正方法】変更
【補正の内容】
【０１０２】
前記の説明は、本技術分野における当業者が、本発明を製造および実施することを可能にするために提示され、ある特定の用途およびその要件の文脈の中で提供されている。好ましい実施形態に施されるさまざまな改変は、本技術分野における当業者にとって容易に明白となるだろう、そして、ここに定義された一般的な原理は、本発明の趣旨および範囲から逸脱することなく、他の実施形態および用途に適用されうる。このように、本発明は示された実施形態に限定されるとは意図されておらず、ここで開示された原理および特徴と矛盾のない最大の範囲に一致するものである。最後に、本願中で言及した発明および出版物のすべての開示は、参照することにより本願の一部となる。
本発明の実施態様の一部を以下の項目１−３５に列記する。
[１]
延伸方向に対し平行方向に直線方向性のある、優れた引き裂き特性を示す１軸延伸ポリオレフィンフィルムであって、当該1軸延伸ポリオレフィンフィルムがプロピレン系ランダムコポリマーおよび少なくとも約３．０質量％の低密度エチレンホモポリマーを含む第一の層を備え、第一の層がヒートシール可能で一方向に少なくとも２．５倍に１軸延伸された、１軸延伸ポリオレフィンフィルム。
[２]
プロピレンランダムコポリマーがエチレン−プロピレンランダムコポリマーである、項目１記載の１軸延伸ポリオレフィンフィルム。
[３]
第一の層がエチレン−プロピレンランダムコポリマーおよびエチレン−プロピレンーブテンランダムコポリマーを含む、項目1記載の1軸延伸ポリオレフィンフィルム。
[４]
フィルムが単層フィルムである、項目1記載の1軸延伸ポリオレフィンフィルム。
[５]
第一の層の面上にポリオレフィン樹脂を含む第二の層をさらに含む、項目1記載の1軸延伸ポリオレフィンフィルム。
[６]
第二の層がエチレン−プロピレンインパクトコポリマーを含む、項目５記載の1軸延伸ポリオレフィンフィルム。
[７]
第一の層とは逆側の第二の層の面上に、ポリオレフィン樹脂を含む第三の層をさらに含む、項目５記載の1軸延伸ポリオレフィンフィルム。
[８]
第一の層が少なくとも５０質量％のエチレン−プロピレンランダムコポリマーを含む、項目1記載の1軸延伸ポリオレフィンフィルム。
[９]
第一の層が３から３０質量％の低密度エチレンホモポリマーを含む、項目1記載の1軸延伸ポリオレフィンフィルム。
[１０]
第一の層がさらに、非晶シリカ、アルミノケイ酸塩、ケイ酸アルミニウムカルシウムナトリウム、ガラス微小球、タルク、雲母、鉱物、架橋シリコーンポリマー、およびポリメチルメタクリレートからなる群より選ばれるブロッキング防止成分を含む、項目1記載の1軸延伸ポリオレフィンフィルム。
[１１]
第一の層の面が放電処理されている、項目1記載の1軸延伸ポリオレフィンフィルム。
[１２]
第一のフィルム層が縦方向に４．０から６．０倍に1軸延伸されている、項目1記載の1軸延伸ポリオレフィンフィルム。
[１３]
第一の層の厚さが、第一の層と第二の層を結合した全体の厚さの５から５０％である、項目５記載の1軸延伸ポリオレフィンフィルム。
[１４]
第二の層が、非晶シリカ、アルミノケイ酸塩、ケイ酸アルミニウムカルシウムナトリウム、ガラス微小球、タルク、雲母、鉱物、架橋シリコーンポリマー、およびポリメチルメタクリレートからなる群より選ばれるブロッキング防止成分を含む、項目５記載の1軸延伸ポリオレフィンフィルム。
[１５]
第二の層の、第一の層と反対側の面が放電処理されている、項目５記載の1軸延伸ポリオレフィンフィルム。
[１６]
さらに金属の層を含む、項目１記載の1軸延伸ポリオレフィンフィルム。
[１７]
項目1記載の1軸延伸ポリオレフィンフィルムを含む、可撓性包装。
[１８]
延伸方向に対し平行方向に直線方向性のある、優れた引き裂き特性を示す１軸延伸ポリオレフィンフィルムであって、当該1軸延伸ポリオレフィンフィルムがエチレン−プロピレンランダムコポリマー、および少なくとも約３．０質量％の低密度エチレンホモポリマーを含む第一の熱を備え、第一の層がヒートシール可能で一方向に少なくとも２．５倍に1軸延伸された、1軸延伸ポリオレフィンフィルム。
[１９]
延伸方向に対し平行方向に直線方向性のある、優れた引き裂き特性を示す１軸延伸ポリオレフィンフィルムであって、当該1軸延伸ポリオレフィンフィルムがエチレン−プロピレンランダムコポリマー、エチレン−プロピレン−ブテンランダムコポリマー、および少なくとも約３．０質量％の低密度エチレンホモポリマーを含む第一の熱を備え、第一の層がヒートシール可能で一方向に少なくとも２．５倍に1軸延伸された、1軸延伸ポリオレフィンフィルム。
[２０]
プロピレンランダムコポリマーおよび少なくとも３．０質量％の低密度エチレンホモポリマーを含むヒートシール可能な第一の層の押出工程、および第一の層を一方向に少なくとも２．５倍に延伸する工程を含む、延伸方向に対し平行方向に直線方向性のある、優れた引き裂き特性を示す１軸延伸ポリオレフィンフィルムの製造方法。
[２１]
プロピレンランダムコポリマーがエチレン−プロピレンランダムコポリマーである、項目２０記載の方法。
[２２]
第一の層がエチレン−プロピレンランダムコポリマーおよびエチレン−プロピレン−ブテンランダムコポリマーを含む、項目２０記載の方法。
[２３]
フィルムが単層フィルムである、項目２０記載の方法。
[２４]
第一の層とともにポリオレフィン樹脂を含む第二の層を共押出することをさらに含む、項目２０記載の方法。
[２５]
第二の層がエチレン−プロピレンインパクトコポリマーを含む、項目２４記載の方法。
[２６]
第二の層の、第一の層とは反対側の面に、ポリオレフィン樹脂を含む第三の層を共押出することをさらに含む、項目２４記載の方法。
[２７]
第一の層が、少なくとも５０質量％のエチレン−プロピレンランダムコポリマーを含む、項目２０記載の方法。
[２８]
第一の層が３から３０質量％の低密度エチレンホモポリマーを含む、項目２０記載の方法。
[２９]
第一の層がさらに、非晶シリカ、アルミノケイ酸塩、ケイ酸アルミニウムカルシウムナトリウム、ガラス微小球、タルク、雲母、鉱物、架橋シリコーンポリマー、およびポリメチルメタクリレートからなる群より選ばれるブロッキング防止成分を含む、項目２０記載の方法。
[３０]
さらに第一の層の面を放電処理することを含む、項目２０記載の方法。
[３１]
第一のフィルムの層が縦方向に４．０から６．０倍に１軸に延伸されている、項目２０記載の方法。
[３２]
第一の層の厚さが、第一の層と第二の層を結合した全体の厚さの５から５０％である、項目２４記載の方法。
[３３]
第二の層が、非晶シリカ、アルミノケイ酸塩、ケイ酸アルミニウムカルシウムナトリウム、ガラス微小球、タルク、雲母、鉱物、架橋シリコーンポリマー、およびポリメチルメタクリレートからなる群より選ばれるブロッキング防止成分を含む、項目２４記載の方法。
[３４]
さらに、第二層の、第一の層とは反対側の面を放電処理することを含む、項目２４記載の方法。
[３５]
さらに、フィルム上に金属層を蒸着することを含む、項目２０記載の方法。
【手続補正２】
【補正対象書類名】特許請求の範囲
【補正対象項目名】全文
【補正方法】変更
【補正の内容】
【特許請求の範囲】
【請求項１】
延伸方向に対し平行方向に直線方向性のある、優れた引き裂き特性を示す１軸延伸ポリオレフィンフィルムであって、当該1軸延伸ポリオレフィンフィルムがプロピレン系ランダムコポリマーおよび少なくとも約３．０質量％の低密度エチレンホモポリマーを含む第一の層を備え、第一の層がヒートシール可能で一方向に少なくとも２．５倍に１軸延伸された、１軸延伸ポリオレフィンフィルム。
【請求項２】
プロピレンランダムコポリマーがエチレン−プロピレンランダムコポリマーである、請求項１記載の１軸延伸ポリオレフィンフィルム。
【請求項３】
第一の層がエチレン−プロピレンランダムコポリマーおよびエチレン−プロピレンーブテンランダムコポリマーを含む、請求項1記載の1軸延伸ポリオレフィンフィルム。
【請求項４】
フィルムが単層フィルムである、請求項1記載の1軸延伸ポリオレフィンフィルム。
【請求項５】
第一の層の面上にポリオレフィン樹脂を含む第二の層をさらに含む、請求項1記載の1軸延伸ポリオレフィンフィルム。
【請求項６】
第二の層がエチレン−プロピレンインパクトコポリマーを含む、請求項５記載の1軸延伸ポリオレフィンフィルム。
【請求項７】
第一の層とは逆側の第二の層の面上に、ポリオレフィン樹脂を含む第三の層をさらに含む、請求項５記載の1軸延伸ポリオレフィンフィルム。
【請求項８】
第一の層が少なくとも５０質量％のエチレン−プロピレンランダムコポリマーを含む、請求項1記載の1軸延伸ポリオレフィンフィルム。
【請求項９】
第一の層が３から３０質量％の低密度エチレンホモポリマーを含む、請求項1記載の1軸延伸ポリオレフィンフィルム。
【請求項１０】
第一の層がさらに、非晶シリカ、アルミノケイ酸塩、ケイ酸アルミニウムカルシウムナトリウム、ガラス微小球、タルク、雲母、鉱物、架橋シリコーンポリマー、およびポリメチルメタクリレートからなる群より選ばれるブロッキング防止成分を含む、請求項1記載の1軸延伸ポリオレフィンフィルム。
【請求項１１】
第一の層の面が放電処理されている、請求項1記載の1軸延伸ポリオレフィンフィルム。
【請求項１２】
第一のフィルム層が縦方向に４．０から６．０倍に1軸延伸されている、請求項1記載の1軸延伸ポリオレフィンフィルム。
【請求項１３】
第一の層の厚さが、第一の層と第二の層を結合した全体の厚さの５から５０％である、請求項５記載の1軸延伸ポリオレフィンフィルム。
【請求項１４】
第二の層が、非晶シリカ、アルミノケイ酸塩、ケイ酸アルミニウムカルシウムナトリウム、ガラス微小球、タルク、雲母、鉱物、架橋シリコーンポリマー、およびポリメチルメタクリレートからなる群より選ばれるブロッキング防止成分を含む、請求項５記載の1軸延伸ポリオレフィンフィルム。
【請求項１５】
第二の層の、第一の層と反対側の面が放電処理されている、請求項５記載の1軸延伸ポリオレフィンフィルム。
【請求項１６】
さらに金属の層を含む、請求項１記載の1軸延伸ポリオレフィンフィルム。
【請求項１７】
請求項1記載の1軸延伸ポリオレフィンフィルムを含む、可撓性包装。
【請求項１８】
延伸方向に対し平行方向に直線方向性のある、優れた引き裂き特性を示す１軸延伸ポリオレフィンフィルムであって、当該1軸延伸ポリオレフィンフィルムがエチレン−プロピレンランダムコポリマー、および少なくとも約３．０質量％の低密度エチレンホモポリマーを含む第一の層を備え、第一の層がヒートシール可能で一方向に少なくとも２．５倍に1軸延伸された、1軸延伸ポリオレフィンフィルム。
【請求項１９】
延伸方向に対し平行方向に直線方向性のある、優れた引き裂き特性を示す１軸延伸ポリオレフィンフィルムであって、当該1軸延伸ポリオレフィンフィルムがエチレン−プロピレンランダムコポリマー、エチレン−プロピレン−ブテンランダムコポリマー、および少なくとも約３．０質量％の低密度エチレンホモポリマーを含む第一の層を備え、第一の層がヒートシール可能で一方向に少なくとも２．５倍に1軸延伸された、1軸延伸ポリオレフィンフィルム。
【請求項２０】
プロピレンランダムコポリマーおよび少なくとも３．０質量％の低密度エチレンホモポリマーを含むヒートシール可能な第一の層の押出工程、および第一の層を一方向に少なくとも２．５倍に延伸する工程を含む、延伸方向に対し平行方向に直線方向性のある、優れた引き裂き特性を示す１軸延伸ポリオレフィンフィルムの製造方法。
【請求項２１】
プロピレンランダムコポリマーがエチレン−プロピレンランダムコポリマーである、請求項２０記載の方法。
【請求項２２】
第一の層がエチレン−プロピレンランダムコポリマーおよびエチレン−プロピレン−ブテンランダムコポリマーを含む、請求項２０記載の方法。
【請求項２３】
フィルムが単層フィルムである、請求項２０記載の方法。
【請求項２４】
第一の層とともにポリオレフィン樹脂を含む第二の層を共押出することをさらに含む、請求項２０記載の方法。
【請求項２５】
第二の層がエチレン−プロピレンインパクトコポリマーを含む、請求項２４記載の方法。
【請求項２６】
第二の層の、第一の層とは反対側の面に、ポリオレフィン樹脂を含む第三の層を共押出することをさらに含む、請求項２４記載の方法。
【請求項２７】
第一の層が、少なくとも５０質量％のエチレン−プロピレンランダムコポリマーを含む、請求項２０記載の方法。
【請求項２８】
第一の層が３から３０質量％の低密度エチレンホモポリマーを含む、請求項２０記載の方法。
【請求項２９】
第一の層がさらに、非晶シリカ、アルミノケイ酸塩、ケイ酸アルミニウムカルシウムナトリウム、ガラス微小球、タルク、雲母、鉱物、架橋シリコーンポリマー、およびポリメチルメタクリレートからなる群より選ばれるブロッキング防止成分を含む、請求項２０記載の方法。
【請求項３０】
さらに第一の層の面を放電処理することを含む、請求項２０記載の方法。
【請求項３１】
第一のフィルムの層が縦方向に４．０から６．０倍に１軸に延伸されている、請求項２０記載の方法。
【請求項３２】
第一の層の厚さが、第一の層と第二の層を結合した全体の厚さの５から５０％である、請求項２４記載の方法。
【請求項３３】
第二の層が、非晶シリカ、アルミノケイ酸塩、ケイ酸アルミニウムカルシウムナトリウム、ガラス微小球、タルク、雲母、鉱物、架橋シリコーンポリマー、およびポリメチルメタクリレートからなる群より選ばれるブロッキング防止成分を含む、請求項２４記載の方法。
【請求項３４】
さらに、第二層の、第一の層とは反対側の面を放電処理することを含む、請求項２４記載の方法。
【請求項３５】
さらに、フィルム上に金属層を蒸着することを含む、請求項２０記載の方法。